(57)【要約】【課題】ステーターとローターとの間の磁気抵抗、振動及び騷音、そして、製造原価を減少できるモーター、モーター製作方法及びこれを用いた洗濯装置を提供する。【解決手段】ローターと、前記ローターと相互作用をするステーター６００と、を含み、前記ステーター６００が、ベース６１１と、前記ベース６１１から突出した複数個のティース６１２を有する主コア６１０と、前記複数個のティース６１２間に形成される空間が前記ローターとの磁気抵抗として作用することを防止する補助コア６４０と、を含むモーターを構成する。【選択図】図３
2007159396.tif 000002
【特許請求の範囲】
【請求項１】
ローターと、
該ローターと相互作用をするステーターと、を含み、
該ステーターは、ベース及び該ベースから突出した複数個のティースを有する主コアと、
前記複数個のティース間に形成される空間が前記ローターとの磁気抵抗として作用することを防止するための補助コアと、を含むモーター。
【請求項２】
前記補助コアは、主コアの上部または下部に位置するプレートと、前記空間に配置される遮断部と、を含む請求項１に記載のモーター。
【請求項３】
前記遮断部は、前記プレートから延長される延長ガイドと、該延長ガイドから折曲形成される折曲部と、を含む請求項２に記載のモーター。
【請求項４】
前記プレートは、前記主コアの上面全体を覆うように形成されることを特徴とする請求項２に記載のモーター。
【請求項５】
前記折曲部には、前記空間の露出面積を調節するための溝が形成されることを特徴とする請求項３に記載のモーター。
【請求項６】
前記折曲部は、前記主コアの積層方向に沿って前記折曲部の幅が変わる領域を有することを特徴とする請求項３に記載のモーター。
【請求項７】
前記折曲部は、前記主コアの側面縁部の外側に位置し、前記折曲部の高さは、前記主コアの積層高さより大きく形成されることを特徴とする請求項３に記載のモーター。
【請求項８】
前記複数個のティースは、突出方向に沿って前記ティースの幅が変わる領域を有することを特徴とする請求項１に記載のモーター。
【請求項９】
前記補助コアは、前記主コアの上部に配置される上側プレートと、該上側プレートから延長される上側遮断部と、前記主コアの下側に配置される下側プレートと、該下側プレートから延長される下側遮断部と、を含む請求項１に記載のモーター。
【請求項１０】
前記上側遮断部には、前記空間の露出面積を調節するための上側溝が備わり、前記下側遮断部には、前記上側溝に対応する下側溝が備わることを特徴とする請求項９に記載のモーター。
【請求項１１】
前記折曲部は、前記主コアの側面縁部を取り囲むリング状を有することを特徴とする請求項３に記載のモーター。
【請求項１２】
前記折曲部には、前記空間の露出面積を調節するための複数個のホールが形成されることを特徴とする請求項１１に記載のモーター。
【請求項１３】
前記ホールは、前記各ティース間に位置するように形成されることを特徴とする請求項１２に記載のモーター。
【請求項１４】
前記ティースに巻線されるコイルと前記主コアとの間または前記各コイル間を電気的に絶縁するためのインシュレーターをさらに含む請求項１に記載のモーター。
【請求項１５】
前記補助コアは、プレス成形されることを特徴とする請求項１に記載のモーター。
【請求項１６】
前記補助コアは、弱磁性体であることを特徴とする請求項１に記載のモーター。
【請求項１７】
前記補助コアと前記主コアとの間の振動を減少し、前記補助コアと前記主コアとの間 を絶縁するための中間部材をさらに含む請求項１に記載のモーター。
【請求項１８】
前記主コアは、最下層から最上層に達するまで螺旋状に積層されることを特徴とする請求項１に記載のモーター。
【請求項１９】
ベース及び該ベースから突出した複数個のティースを有する主コアを製作する段階と、
前記複数個のティースにコイルを巻線する段階と、
前記複数個のティース間に形成される空間のうち少なくとも一部を遮断するために補助コアを設置する段階と、を含むモーターの製造方法。
【請求項２０】
ステーター及びローターを有するモーターと、
前記ローターに連結されて回転する中心軸と、
該中心軸に連結されて回転する洗濯槽と、を含み、
前記ステーターは、ベース及び該ベースから突出した複数個のティースを有する主コアと、前記複数個のティース間に形成される空間によって発生する磁気抵抗を減少させるための補助コアと、を含む洗濯装置。
【発明の詳細な説明】
【技術分野】
【０００１】
本発明は、機械装置に関するもので、一層詳しくは、ローターとステーターとの間の磁気抵抗を減少できるモーター、モーターの製造方法及びこれを用いた洗濯装置に関するものである。
【背景技術】
【０００２】
一般的に、モーターは、電気エネルギーを力学的エネルギーに変える装置の一つであり、磁場の形成領域に位置する導線に電流を流したときに発生する電磁気力によって、力学エネルギーを発生させる装置である。
【０００３】
上記のようなモーターは、一般的に動力を必要とする機械装置に広く用いられ、代表的には、洗濯機及び冷蔵庫などに用いられる。以下、前記モーターが用いられるドラム洗濯機を例に挙げて説明する。
【０００４】
ドラム洗濯機は、駆動方式にしたがって、モーターの駆動力がモータープーリー及びドラムプーリーに巻かれたベルトを通して間接的にドラムに伝達される間接連結方式と、ＢＬＤＣモーターのローターがドラムに直結され、モーターの駆動力がドラムに直接的に伝達される直結式とに分けられる。
【０００５】
前記間接伝達方式によると、動力伝達過程でモータープーリー及びドラムプーリーを経ることでエネルギー損失が発生するとともに、多くの騷音が発生する。したがって、上記のような既存のドラム洗濯機の問題点を解決するために、ＢＬＤＣモーターを用いた直結式ドラム洗濯機の使用が拡大されつつある。
【０００６】
既存の直結式ドラム洗濯機の構造に対し、図１に基づいて簡略に説明する。
【０００７】
図１は、従来のドラム洗濯機の構成を示した縦断面図で、キャビネット１の内側にタブ２が設置され、該タブ２の内側中央には、ドラム３が回転可能に設置される。
【０００８】
そして、前記タブ２の後方側には、モーターが設置される。すなわち、タブ２の後壁部には、ステーター６０が固定され、ローター５は、前記ステーター６０を取り囲みながらタブ２を貫通してドラム３に軸連結される。
【０００９】
また、前記キャビネット１の前方には、前記キャビネット１を開閉するためのドア７が設置され、前記ドア７とタブ２との間には、ガスケット８が設置される。
【００１０】
また、前記キャビネット１の上部面内側とタブ２の外周面上側との間には、タブ２を支持するハンギングスプリング９が設置され、前記キャビネット１の下部面内側とタブ２の外周面下側との間には、脱水時に発生するタブ２の振動を減衰させるためのフリクションダンパー１０が設置される。
【００１１】
一方、前記ステーター６０は、図２に示すように、前記ステーター６０の中心部を形成するコア６１と、該コア６１から突出したティース６３と、該ティース６３を取り囲むコイル６５と、を含む。
【００１２】
ここで、前記コイル６５の巻線作業などを容易にするために、前記ティース６３とティース６３との間に形成される空の空間Ｓにより、モーターの有効トルクが減少する。
【００１３】
一層詳しく説明すると、前記空の空間Ｓによってステーター６０とローター５との間に磁気抵抗が増加し、前記磁気抵抗の増加によってコギングトルク及び脈動トルクが増加することで、モーターの有効トルクが減少してモーターの性能が低下する。前記コギングトルクは、ローターが回転することで、ローターとステーターとの間の位置変化による孔隙における磁気抵抗変化によって発生するトルクであり、このコギングトルクは、モータートルクの有効成分になり得ないので、低減させることが好ましい。
【００１４】
また、前記コギングトルク及び脈動トルクが増加することで、モーターの振動及び騷音も一緒に増加するという問題点がある。
【００１５】
そして、前記空の空間Ｓによって発生する問題点を補完するために、前記ティース終端６３ａを台形に形成するが、このようにティース終端６３ａの断面形状を台形に形成することで、ステーターコアの製作時にスクラップが増加し、材料費が上昇するという問題点がある。
【発明の開示】
【発明が解決しようとする課題】
【００１６】
本発明は上記の問題点を解決するためのもので、その目的は、ステーターとローターとの間の磁気抵抗を減少できるモーター及びこれを用いた洗濯装置を提供することにある。
【００１７】
本発明の他の目的は、振動及び騷音を減少できるモーター及びこれを用いた洗濯装置を提供することにある。
【００１８】
本発明のさらに他の目的は、製造原価を減少できるモーター、モーター製作方法及びこれを用いた洗濯装置を提供することにある。
【課題を解決するための手段】
【００１９】
上記目的を達成するために、本発明は、ローターと、該ローターと相互作用をするステーターと、を含むモーターを提供する。前記ステーターは、ベース及び該ベースから突出した複数個のティースを有する主コアと、前記複数個のティース間に形成される空間が前記ローターとの磁気抵抗として作用することを防止するための補助コアと、を含んで構成される。
【００２０】
前記補助コアは、主コアの上部または下部に位置するプレートと、前記空間に配置される遮断部と、を含む。
【００２１】
前記遮断部は、前記プレートから延長される延長ガイドと、該延長ガイドから折曲形成される折曲部と、を含む。
【００２２】
もちろん、前記プレートは、前記主コアの上面全体を覆うように形成される。
【００２３】
前記折曲部には、前記空間の露出面積を調節するための溝が形成される。
【００２４】
前記折曲部は、前記主コアの積層方向に沿って前記折曲部の幅が変わる領域を有する。
【００２５】
また、前記折曲部は、前記主コアの側面縁部の外側に位置し、前記折曲部の高さは、前記主コアの積層高さより大きく形成される。
【００２６】
前記複数個のティースは、突出方向に沿って前記ティースの幅が変わる領域を有する。
【００２７】
また、前記補助コアの他の実施形態によると、前記補助コアは、前記主コアの上部に配置される上側プレートと、該上側プレートから延長される上側遮断部と、前記主コアの下側に配置される下側プレートと、該下側プレートから延長される下側遮断部と、を含む。
【００２８】
前記上側遮断部には、前記空間の露出面積を調節するための上側溝が備わり、前記下側遮断部には、前記上側溝に対応する下側溝が備わる。
【００２９】
また、前記折曲部は、前記主コアの側面縁部を取り囲むリング状を有する。そして、前記折曲部には、前記空間の露出面積を調節するための複数個のホールが形成される。
【００３０】
前記ホールは、前記各ティース間に位置するように形成される。
【００３１】
前記モーターは、前記複数個のティースに巻線されるコイルと前記主コアとの間または前記各コイル間を電気的に絶縁するためのインシュレーターをさらに含む。
【００３２】
前記補助コアは、弱磁性体であり、プレス加工される。
【００３３】
前記モーターは、前記補助コアと前記主コアとの間の振動を減少し、前記補助コアと前記主コアとの間を絶縁するための中間部材をさらに含む。
【００３４】
前記主コアは、最下層から最上層に達するまで螺旋状に積層されて形成される。
【００３５】
本発明の他の実施形態によると、本発明は、ベース及び該ベースから突出した複数個のティースを有する主コアを製作する段階と、前記複数個のティースにコイルを巻線する段階と、前記複数個のティース間に形成される空間のうち少なくとも一部を遮断するために補助コアを設置する段階と、を含むモーターの製造方法を提供する。
【００３６】
本発明のさらに他の実施形態によると、本発明は、ステーター及びローターを有するモーターと、前記ローターに連結されて回転する中心軸と、該中心軸に連結されて回転する洗濯槽と、を含む洗濯装置を提供する。ここで、前記ステーターは、ベース及び該ベースから突出した複数個のティースを有する主コアと、前記複数個のティース間に形成される空間によって発生する磁気抵抗を減少させるための補助コアと、を含んで構成される。
【発明の効果】
【００３７】
本発明の効果は次の通りである。
【００３８】
第１に、主コアに備わった各ティース間で形成される空間の露出面積を調節するための補助コアを設置することで、ステーターとローターとの間の磁気抵抗を減少できるという効果がある。
【００３９】
したがって、補助コアを有するモーターは、コギングトルク及び脈動トルクを効率的に減少するので、モーターの有効トルクを増加させて性能を向上できる。
【００４０】
第２に、補助コアに形成される溝またはホールの幅、間隔及び個数によってステーターとローターとの間の電磁気的加振力の大きさ及びモーターの回転周波数を自由に制御できるという効果がある。
【００４１】
したがって、ステーターとローターとの間の電磁気的な振動と、これによって発生する騷音を減少させ、モーターの性能を一層向上できる。
【００４２】
第３に、主コアの各ティース間に配置される折曲部に所定の幅を持たせることで、主コアの製作時に発生するスクラップを減少して材料費を節減できるという効果がある。
【００４３】
第４に、本発明に備わった主コアを一つの金属鉄板を用いて螺旋状に積層して製作することで、製作が容易になり、費用が低廉になるという効果がある。
【発明を実施するための最良の形態】
【００４４】
以下、本発明の好適な実施の形態について、添付の図面に基づいて詳細に説明する。
【００４５】
本発明に係るモーターの一実施形態を、図３及び図４に基づいて説明する。
【００４６】
前記モーターは、ローター（図示せず）と、該ローターと相互作用をするステーター６００と、を含む。そして、前記ステーター６００は、ベース６１１、及び該ベース６１１から突出した複数個のティース６１２を備えた主コア６１０と、前記複数個のティース６１２間に形成される空間が前記ローターとの磁気抵抗として作用することを防止するための補助コア６４０と、を含む。
【００４７】
また、前記ステーター６００は、前記ティースに巻線されるコイル６５０と前記主コア６１０との間または前記各コイル６５０間を電気的に絶縁するためのインシュレーター６２０，６３０をさらに含んで構成される。
【００４８】
前記主コア６１０は、弱磁性体として磁束の経路を作る役割をし、環状の多層構造を有する。具体的に、前記主コア６１０は、帯状のベース６１１及び該ベース６１１から突出した複数個のティース６１２を備えた一つの鉄板を螺旋状に回転しながら積む重ねることで、環状の多層構造を形成する。
【００４９】
前記複数個のティース６１２は、ローターに向かって突出し、コイル６５０の巻線場所を提供する。前記ティース６１２は、突出方向に沿って前記ティースの幅が可変になる領域を有することもある。ここで、前記コイル６５０は、外部から電源が印加されると、電流が流れながら回転磁界を作る役割をする。
【００５０】
本発明は、上述した実施形態に限定されるものではなく、前記主コア６１０は、複数個の分割コアを結合して環状に製作されることもある。具体的に、前記分割コアは、一つの金属鉄板をプレス加工してティースとベースを形成し、前記ティースの反対側には締結孔形成のための突出部を有する各単位コアを製作した後、これらを積層して製作される。
【００５１】
その後、前記各分割コアを円周方向に相互連結することで、環状の主コアが形成される。ここで、前記各分割コアには、前記各分割コアを相互結合するための結合溝及び結合突起がそれぞれ形成される。
【００５２】
前記インシュレーターは、主コア６１０の上部に設置される上部インシュレーター６２０と、前記主コア６１０の下部に設置される下部インシュレーター６３０と、を含む。前記上部インシュレーター６２０は、前記主コア６１０の上部を取り囲み、前記下部インシュレーター６３０は、前記上部インシュレーター６２０に対応しながら前記主コア６１０の下部を取り囲む。
【００５３】
また、前記上部インシュレーター６２０及び下部インシュレーター６３０には、前記ステーターを装着するための締結孔６２３ａ，６３３ａが形成された締結部６２３，６３３が備わる。具体的に、前記締結部６２３，６３３は、前記上部インシュレーター６２０及び下部インシュレーター６３０に一体に備わり、前記インシュレーターの内周面から半径方向に形成される。そして、前記締結部６２３，６３３は、前記インシュレーターの内側から３箇所以上突出することが好ましい。
【００５４】
前記補助コア６４０は、弱磁性体として前記主コア６１０とは別途に備わり、プレス加工を通して製作される。前記補助コア６４０は、前記主コア６１０の上部に位置するプレート６４１と、前記空間Ｓの少なくとも一部を遮断するための遮断部６４２と、を含む。
【００５５】
また、前記プレートの内周面には、前記インシュレーターに備わった締結部６２３，６３３に対応する補助締結部６４３が備わる。これと同様に、前記補助締結部６４３には、前記締結孔６２３ａ，６３３ａに対応する補助締結孔６４３ａが形成される。
【００５６】
また、前記遮断部６４２は、前記プレートから延長形成される延長ガイド６４２ａと、該延長ガイド６４２ａから下方に折曲される折曲部６４２ｂと、を備えている。そして、前記折曲部６４２ｂは、前記複数個のティース６１２間に配置される。
【００５７】
図５に示すように、前記折曲部６４２ｂには、前記空間Ｓの露出面積を調節するための溝６４２ｃが形成される。具体的に、前記溝６４２ｃは、前記主コア６１０の積層方向に長さを有して形成される。
【００５８】
このとき、前記溝６４２ｃの幅ｄ１は、前記主コアのティース６１２と前記補助コア６４０の折曲部６４２ｂとの間の距離ｄ０の０．５〜１．５倍の範囲で形成されることで、モーターのコギングトルクを最小化しながらもモーターの有効トルクを最大限に増加させることができる。
【００５９】
前記各折曲部６４２ｂは、前記主コア６１０の積層方向に沿って所定の幅を有する。もちろん、前記折曲部６４２ｂは、前記主コアの積層方向に沿って幅が可変になる領域を有することもある。
【００６０】
具体的に、図６に示すように、前記折曲部６４２ｂの幅は主コア６１０の積層方向に沿って線形的に変わる。すなわち、前記折曲部６４２ｂは、前記主コア６１０の積層方向に沿って上側から下側にその幅が漸次小さくなるように形成される。
【００６１】
また、図７に示すように、前記折曲部６４２ｂは、前記主コア６１０の積層方向に沿って上側から下側にその幅が漸次小さくなった後、再び大きくなるように形成されることもある。
【００６２】
上記のように、前記折曲部６４２ｂの形状を変化させ、前記主コアの円周方向に沿って前記ティース６１２とティース６１２との間の空間Ｓの露出面積を調節することで、モーターのコギングトルク及び脈動トルクを効率的に減少することができる。
【００６３】
一方、図５〜図７に示すように、前記折曲部６４２ｂの幅の変化が線形的または非線形的に形成される場合も、前記折曲部６４２ｂの長さｌは、前記主コアの積層高さｈより大きく形成されることが好ましい。
【００６４】
その理由は、前記折曲部６４２ｂを通して前記ティース６１２とティース６１２との間の空間を効率的に遮断させ、モーターのコギングトルク及び脈動トルクを減少させるためである。
【００６５】
一方、図８及び図９に示すように、前記主コアのティース６１２は、その突出方向に沿ってその幅が一定に形成される。すなわち、前記ステーター６００には、主コアのティース６１２とティース６１２との間の空間に配置される折曲部６４２ｂを有する補助コアが備わることで、前記主コアのティース６１２とティース６１２との間の空間の露出部分を縮小するために、ティース６１２の終端形状を変化させる必要なしに一字状に形成する。
【００６６】
したがって、前記主コアの製作時、前記ティース６１２の断面形状を一字状に形成することで、前記鉄板のスクラップを減少して主コアを製作するための材料費を節減することができる。
【００６７】
以下、本発明に係る補助コアの第２実施形態を、図１０に基づいて説明する。
【００６８】
前記補助コア７４０は、主コアの上部に設置されるプレート７４１と、前記主コアの側面縁部に設置される遮断部７４２と、を含む。
【００６９】
具体的に、前記プレート７４１は、前記主コアの上面全体を覆うように形成され、前記遮断部７４２は、前記プレートから下方に折曲され、前記主コアの側面縁部に対応して形成される。
【００７０】
前記プレート７４１が主コアの上面全体を覆うように形成されることで、前記主コアのティースに巻かれたコイルの上面を覆うようになる。したがって、前記コイルから発生する熱が外部に放出されることを防止できる。
【００７１】
前記遮断部７４２には、複数個のティース間に形成される空間の露出面積を調節するための溝７４２ｃが形成されることもある。もちろん、前記遮断部７４２には、ホールが形成されることもある。
【００７２】
本発明は、上述した実施形態に限定されるものではなく、前記補助コアは、前記主コアの上部に配置される上側プレートと、該上側プレートから延長される上側遮断部と、前記主コアの下側に配置される下側プレートと、該下側プレートから延長される下側遮断部と、を含んで構成される。
【００７３】
前記上側遮断部には、前記空間の露出面積を調節するための上側溝が備わり、前記下側遮断部には、前記上側溝に対応する下側溝が備わる。前記上側溝と下側溝は、主コアの積層方向に長さを有して形成され、互いに連通されることで一つのホールを形成する。
【００７４】
もちろん、前記上側プレートと下側プレートには、前記ステーターの装着時、補助コアとステーターを一緒に装着するための締結部が備わる。また、前記補助コアは、弱磁性体からなり、プレス成形によって製作される。
【００７５】
以下、本発明に係るモーターの他の実施形態を、図１１及び図１２に基づいて説明する。
【００７６】
本実施形態に係るモーターは、上述したモーターの構成とほぼ一致する。ただし、本実施形態は、上述した実施形態と異なって、前記折曲部８４２ｂには、複数個のティース間に形成される空間の露出面積を調節するためのホール８４２ｃが形成される。また、前記折曲部８４２ｂは、前記主コアの側面縁部を取り囲むリング状を有する。
【００７７】
具体的に、前記ホール８４２ｃは、主コアの積層方向に長さを有して複数個形成される。このとき、前記ホール８４２ｃは、前記ティース６１２とティース６１２との間に位置して形成され、前記ホール８４２ｃの中心線と前記折曲部８４２の中心線は、互いに一致するように形成される。
【００７８】
もちろん、前記折曲部８４２に形成されたホール８４２ｃの個数は、前記ティースの個数と異なるように形成されることもあり、前記ホール８４２ｃの中心線と前記折曲部６４２ｂの中心線とがずれるように形成されることもある。
【００７９】
そして、前記ホール８４２ｃの幅ｄ１は、前記ティース６１２とティース６１２との間の距離ｄ０より小さく形成されることで、前記ティース６１２とティース６１２との間の空間Ｓがローターとの磁気抵抗として作用することを最小化する。ここで、前記ホール８４２ｃは、前記主コアの積層方向に沿って一字状に形成される。
【００８０】
もちろん、前記ホールは、図１３に示すように、前記主コアの積層方向両側に相互対応して分割された上側ホール８４２ｅ及び下側ホール８４２ｆから構成されることもある。
【００８１】
このとき、前記上側ホール８４２ｅと下側ホール８４２ｆは、前記折曲部８４２ｂに形成されるが、前記主コアのティース６１２とティース６１２との間に一対で形成されることが好ましい。
【００８２】
一方、前記ホールは、図１４に示すように、ホールの長さ方向線Ｂが前記主コアの積層方向線Ａに対して所定角度θ１だけ傾斜して形成されることもある。
【００８３】
また、前記ホール８４２ｃは、図１５に示すように、前記ホール８４２ｃの長さ方向線Ｂが前記主コアの積層方向線Ａと所定の角度θ２をなして形成されるが、ホール８４２ｃの中央部を基準にして相互対称に形成されることもある。
【００８４】
上記のように、前記ホール８４２ｃの形状を変化させ、前記主コアの円周方向に沿って前記ティース６１２とティース６１２との間の空間のローター側への露出面積を多様な形態で調節することで、モーターのコギングトルク及び脈動トルクを効率的に減少することができる。
【００８５】
一方、図１２〜１５に示すように、前記折曲部８４２ｂに形成されたホールの形状、大きさ及び位置が変わる場合も、前記ホールの長さｈ１は、前記主コアの積層高さｈ０より大きく形成されることが好ましい。
【００８６】
上述したホールの形状及び大きさは、本実施形態に限定されるものではなく、如何なる形状を有しても構わない。また、前記ステーターには、前記補助コアと前記主コアとの間の振動を減少し、前記補助コアと前記主コアとの間を絶縁するための中間部材をさらに含むこともある。具体的に、主コアに備わったティースの終端と補助コアとの間には、弾性絶縁体などの中間部材が設置され、二つの物体間の振動を減少することができる。
【００８７】
さらに、前記インシュレーターの結合部と補助コアの補助結合部との間にも、これらの間の振動を減少し、これらの間を絶縁するための中間部材が設置される。前記中間部材としては、ゴム、プラスチックなどのように弾性を有すると同時に、電気的に不導体であるものが好ましい。
【００８８】
以下、前記モーターに備わるステーターの製作過程を、図３及び図４に基づいて説明する。
【００８９】
前記ステーターを製作するために、前記ステーターに備わる主コア６１０、上部インシュレーター、下部インシュレーター及び補助コア６４０を個別的に製作する。
【００９０】
前記主コア６１０を製作するために、まず、金属鉄板をプレス加工して、ベース６１１と、該ベース６１１から突出する複数個のティース６１２を作る。そして、前記金属鉄板を螺旋状に積層しながら環状に形成する。
【００９１】
その後、完成された主コア６１０に、上部インシュレーター６２０と下部インシュレーター６３０とを結合する。そして、前記上部インシュレーター６２０と下部インシュレーター６３０との結合状態で、前記複数個のティース６１２にコイル６５０を巻く。
【００９２】
その後、前記コイル６５０が巻かれた主コア６１０に補助コア６４０を結合することで、ステーターを完成する。前記補助コア６４０を主コア６１０に結合するとき、前記補助コア６４０に備わった遮断部６４２は、前記複数個のティース間に形成される空間の少なくとも一部を遮断するように設置されることが好ましい。
【００９３】
前記主コアの製作過程において、ベース及び複数個のティースが形成された金属鉄板を螺旋状に積層する方法を使用したが、本発明は、これに限定されるものではない。具体的に、ベース及び複数個のティースが形成された金属鉄板を多重に積層して一つの分割コアを製作し、製作された複数個の分割コアを円周方向に沿って相互結合することで主コアを形成することもある。
【００９４】
上述した構造を有するモーターは、洗濯機、冷蔵庫などを初めとする多様な機械装置に用いられる。一例として、前記モーターが洗濯装置に備わる場合を説明する。
【００９５】
前記洗濯装置は、洗濯物が出し入れされる開口部を有するキャビネットと、該キャビネットの内部に設置されるタブと、該タブの内部に回転可能に設置される洗濯槽と、前記開口部を開閉するためのドアと、を含む。また、前記洗濯機は、前記洗濯槽を回転させるためのモーターと、該モーターの駆動力を前記洗濯槽に伝達するための回転軸と、をさらに含む。
【００９６】
ここで、前記モーターは、ステーター及びローターを含んで構成され、前記ステーターは、ベース及び該ベースから突出した複数個のティースを有する主コアと、前記複数個のティース間に形成される空間によって発生する磁気抵抗を減少させるための補助コアと、を含む。前記補助コアに対する詳細な説明は、上述した通りであるので、それに対する説明を省略する。
【００９７】
本発明は、上記の実施形態に限定されるものではなく、本発明の技術思想の範疇から逸脱しない限り、多様な形態に変更及び修正可能である。
【図面の簡単な説明】
【００９８】
【図１】従来のドラム洗濯機の縦断面図である。
【図２】従来のドラム洗濯機に備わるモーターを概略的に示した平面図である。
【図３】本発明に係るモーターに備わったステーターに対する第１実施形態を示す斜視図である。
【図４】図３のモーターに対する分解斜視図である。
【図５】図３に備わったステーターの側断面に対する一実施形態を概略的に示した断面図である。
【図６】図３に備わったステーターの側断面に対する他の実施形態を概略的に示した断面図である。
【図７】図３に備わったステーターの側断面に対する他の実施形態を概略的に示した断面図である。
【図８】図３に備わったステーターに対する他の実施形態を示す平面図である。
【図９】図８の主コアを作るための鉄板を示す断面図である。
【図１０】本発明に係るモーターに備わったステーターの第２実施形態を示す斜視図である。
【図１１】本発明に係るモーターに備わったステーターの第３実施形態を示す斜視図である。
【図１２】図１１のステーターの側断面に対する一実施形態を示す断面図である。
【図１３】図１１のステーターの側断面に対する他の実施形態を示す断面図である。
【図１４】図１１のステーターの側断面に対する他の実施形態を示す断面図である。
【図１５】図１１のステーターの側断面に対する他の実施形態を示す断面図である。
【符号の説明】
【００９９】
６００    ステーター
６１０    主コア
６１１    ベース
６１２    ティース
６４０    補助コア
【図１】
2007159396.tif 000003
【図２】
2007159396.tif 000004
【図３】
2007159396.tif 000005
【図４】
2007159396.tif 000006
【図５】
2007159396.tif 000007
【図６】
2007159396.tif 000008
【図７】
2007159396.tif 000009
【図８】
2007159396.tif 000010
【図９】
2007159396.tif 000011
【図１０】
2007159396.tif 000012
【図１１】
2007159396.tif 000013
【図１２】
2007159396.tif 000014
【図１３】
2007159396.tif 000015
【図１４】
2007159396.tif 000016
【図１５】
2007159396.tif 000017